(57)【要約】      （修正有）【課題】磁気治療装置において、電磁コイル部分で振動が得られるようにすること、強力な交番磁界を治療対象に作用させること、コアの先端付近における磁束密度をより大きくすること及びサーモスタットの脱落や断線等による故障を発生しにくくすること。【解決手段】互いに平行な底面２０と天面を有するケースの内部にコア２２、ボビン２３、電磁コイル２４、配線、コア固定部３１及びサーモスタット固定部３２を備え、天面と両固定部３１、３２の上面との距離は上フランジの上面と下フランジの下面との距離より大きく、上フランジの上面には緩衝材２５が固定され、コア２２の突出部の先端付近は厚さが薄くなっているとともに先細りの形状となっており、天面にはコア２２の突出部の先端を嵌入可能な凹部が設けられている磁気治療装置。【選択図】図６
2018099284.tif 000002
【特許請求の範囲】
【請求項１】
底面と天面を有するケースの内部に磁性材料よりなるコア、該コアの周囲に配置されるボビン、該ボビンに巻きつけられた電磁コイル、該電磁コイルに交流電流を印加するための配線、前記コアを固定するコア固定部及び前記ボビンを載置するボビン載置部とを備える磁気治療装置であって、
前記ボビンは互いに平行な上フランジと下フランジを有し、
前記天面と前記ボビン載置部の上面との距離は前記上フランジの上面と前記下フランジの下面との距離より大きく、
前記電磁コイルに交流電流を印加することにより前記ボビンが上下方向に振動する
ことを特徴とする磁気治療装置。
【請求項２】
前記天面と前記上フランジの上面との間又は前記下フランジの下面と前記ボビン載置部の上面との間に緩衝材が配置されている
ことを特徴とする請求項１に記載の磁気治療装置。
【請求項３】
前記コアの上部が先細りの形状となっているとともに、前記天面に前記コアの上部を嵌入可能な凹部が設けられている
ことを特徴とする請求項１又は２に記載の磁気治療装置。
【請求項４】
前記底面に、サーモスタットを固定するサーモスタット固定部が設けられている
ことを特徴とする請求項１〜３のいずれかに記載の磁気治療装置。
【請求項５】
前記配線を固定するコネクタを搭載したコネクタ基板をさらに備え、
前記ボビンの端子に、前記コネクタ基板が電気的に接続、固定されている
ことを特徴とする請求項１〜４のいずれかに記載の磁気治療装置。
【発明の詳細な説明】
【技術分野】
【０００１】
この発明は、交流電流の通電により電磁コイルから発生する交番磁界を利用した磁気治療装置に関するものである。
【背景技術】
【０００２】
特許文献１（特許第４６２５１３４号公報）に記載されるように、フェライトコア(10)とボビン(11)に巻いたコイル(12)とから成る電磁コイル(3)が電磁コイル固定用ケース(4)に収納固定されてなる磁気健康器具において、フェライトコア(10) に対向して間隔をおいてフェライト板(16)を配置し、電磁コイル(3)への通電時に交番電流によりフェライト板(16)を振動させることや、フェライトコア(10)の先端を先細りの形状に成形することにより磁束密度を大きくすることが知られている（特に、特許文献１の図３(b)及び段落００２１〜００２２を参照）。
しかし、フェライト板(16)を設けることにより振動は得られるものの、逆にフェライト板(16)で磁束が分散されるため、フェライトコア(10)の先端付近における磁束密度が小さくなってしまうという問題があった。
【先行技術文献】
【特許文献】
【０００３】
【特許文献１】特許第４６２５１３４号公報
【発明の概要】
【発明が解決しようとする課題】
【０００４】
本発明は、このような問題を解決するため、電磁コイル部分で振動が得られるとともに、磁性材料よりなるコアの先端付近における磁束密度を小さくすることなく、強力な交番磁界を治療対象に作用させることのできる磁気治療装置の提供を第一の課題とするものである。
また、本発明は、磁性材料よりなるコアの先端付近における磁束密度をより大きくすることのできる磁気治療装置の提供を第二の課題、サーモスタットの脱落や断線等による故障が発生しにくい磁気治療装置の提供を第三の課題とするものである。
【課題を解決するための手段】
【０００５】
請求項１に係る発明の磁気治療装置は、底面と天面を有するケースの内部に磁性材料よりなるコア、該コアの周囲に配置されるボビン、該ボビンに巻きつけられた電磁コイル、該電磁コイルに交流電流を印加するための配線及び前記コアを固定するコア固定部及び前記ボビンを載置するボビン載置部を備え、
前記ボビンは互いに平行な上フランジと下フランジを有し、
前記天面と前記ボビン載置部の上面との距離は前記上フランジの上面と前記下フランジの下面との距離より大きく、前記電磁コイルに交流電流を印加することにより前記ボビンが上下方向に振動することを特徴とする。
【０００６】
請求項２に係る発明は、請求項１に記載の磁気治療装置において、前記天面と前記上フランジの上面との間又は前記下フランジの下面と前記ボビン載置部の上面との間に緩衝材が配置されていることを特徴とする。
【０００７】
請求項３に係る発明は、請求項１又は２に記載の磁気治療装置において、前記コアの上部が先細りの形状となっているとともに、前記天面に前記コアの上部を嵌入可能な凹部が設けられていることを特徴とする。
【０００８】
請求項４に係る発明は、請求項１〜３のいずれかに記載の磁気治療装置において、前記底面に、サーモスタットを固定するサーモスタット固定部が設けられていることを特徴とする。
【０００９】
請求項５に係る発明は、請求項１〜４のいずれかに記載の磁気治療装置において、前記配線を固定するコネクタを搭載したコネクタ基板をさらに備え、前記ボビンの端子に、前記コネクタ基板が電気的に接続、固定されていることを特徴とする。
【発明の効果】
【００１０】
請求項１に係る発明の磁気治療装置によれば、底面と天面を有するケースの内部にコアを固定するコア固定部及びボビンを載置するボビン載置部を備えるとともに、コアの周囲に配置されるボビンが互いに平行な上フランジと下フランジを有し、天面とボビン載置部の上面との距離が上フランジの上面と下フランジの下面との距離より大きく、電磁コイルに交流電流を印加することによりボビンが上下方向に振動する。
そのため、振動を発生させるためのフェライト板をコアに対向して配置する必要がないので、コアの先端付近における磁束が分散されることなく、強力な交番磁界を治療対象に作用させることができる。
【００１１】
請求項２に係る発明の磁気治療装置によれば、請求項１に係る発明による効果に加え、天面と上フランジの上面との間又は下フランジの下面とボビン載置部の上面との間に緩衝材が配置されているので、ケース内面、ボビン載置部、上フランジの上面及び下フランジの下面が硬い材質で形成されていたとしても、ボビンの振動によってそれらが直接ぶつかって不快な音を発生させることがない。
【００１２】
請求項３に係る発明の磁気治療装置によれば、請求項１又は２に係る発明による効果に加え、コアの上部が先細りの形状となっているとともに、天面にコアの上部を嵌入可能な凹部が設けられているので、コアの先端付近における磁束密度をより大きくすることができ、より強力な交番磁界を治療対象に作用させることができる。
【００１３】
請求項４に係る発明の磁気治療装置によれば、請求項１〜３のいずれかに係る発明による効果に加え、底面にサーモスタットを固定するサーモスタット固定部が設けられているので、ボビンが上下方向に振動してもサーモスタットが脱落することがない。
【００１４】
請求項５に係る発明の磁気治療装置によれば、請求項１〜４のいずれかに係る発明による効果に加え、配線を固定するコネクタを搭載したコネクタ基板をさらに備え、ボビンの端子にコネクタ基板が電気的に接続、固定されているので、ボビンとコネクタとの電気的接続が切れにくく、コネクタと配線はコネクタ基板が振動しても接触不良を起こしにくいので、断線等による故障が発生しにくい。
【図面の簡単な説明】
【００１５】
【図１】実施例に係る磁気治療装置の斜視図。
【図２】実施例に係るケースＡとケースＢの接続状態を示す斜視図。
【図３】実施例に係るケースＡの斜視図。
【図４】実施例に係るケースＢの斜視図。
【図５】実施例に係るケースＣの斜視図。
【図６】実施例に係るケースＢ及び磁界発生装置の分解図。
【図７】ボビンの中心を通りケースＢの短辺に平行な断面の形状を示す図。
【図８】ボビンの中心を通りケースＢの長辺に平行な断面の形状を示す図。
【発明を実施するための形態】
【００１６】
以下、実施例によって本発明の実施形態を説明する。
【実施例】
【００１７】
実施例の磁気治療装置は、図１に示すように、電源接続コード１と２つの接続プラグ２、３を有するコントローラ４、両端にベルト通し部５、６を有するとともに最もコントローラ側に本体接続プラグ７を有する本体部８、及びコントローラ４と本体部８とを接続するための本体接続コード９からなっている。
そして、電源接続コード１は、電源プラグに接続するための電源接続用コンセント１０を有し、コントローラ４は電源スイッチ１１、モード選択スイッチ１２及びタイマー表示部１３を備えている。
また、本体部８は、最もコントローラ側に配置されるケースＡ、中間部に配置される３つのケースＢ、最も末端側に配置されるケースＣ及び各ケースの内部に収容される磁界発生装置からなっており、ケースＡ〜Ｃはいずれも合成樹脂製である。
【００１８】
図２及び図３に示すように、ケースＡは末端側にケースＢを回動自在に接続するための結合凹部１４を有しており、図２及び図４に示すように、ケースＢはコントローラ側にケースＡ又は他のケースＢを回動自在に接続するための結合凸部１５、末端側に他のケースＢ又はケースＣを回動自在に接続するための結合凹部１６を有している。
また、図５に示すように、ケースＣはコントローラ側にケースＢを回動自在に接続するための結合凸部１７を有している。
そして、本体接続コード９はコントローラ４の接続プラグ３に脱着可能なコントローラ接続端子１８を有するとともに、本体接続プラグ７に脱着可能な本体接続端子１９を有している。
【００１９】
図２〜８を用いてケースＡ〜Ｃについて詳しく説明する。
ケースＡ〜Ｃは、いずれも底部及び蓋部の２つに分離できるようになっており、ケースＡは４本のビス（図示せず）で固定され、ケースＢ及びＣは、それぞれ３本のビス（図示せず）で固定される。
そして、固定状態においては、底部の底面２０と蓋部の天面２１は互いに平行となるようになっている。
なお、本体部８を分解する際には、コントローラ側のケースＡから順次ビスをはずして分離していく。
また、本体部８を組み立てる際には、まずケースＣの底部に磁界発生装置をセットし、ケースＣの底部の結合凸部１７をケースＢの底部の結合凹部１６に嵌合せ、ケースＣとケースＢの回動を適度に規制するためゴム板（図示せず）を挟んだ後、蓋部を被せビス（図示せず）をねじ込んで固定する。
次に、同様の作業をケースＢ同士で順次行い、最後にケースＢとケースＡとで同様の作業を行い全てのケースを固定すれば、本体部８の組み立てが終了する。
【００２０】
ケースＡは、図２及び図３に示すように、平面視が略正方形であり、そのコントローラ４側の隅部の１箇所に本体接続プラグ７がセットされ、その中央部に磁界発生装置がセットされる。
なお、磁界発生装置及びケースの底部中央はケースＡ〜Ｃともに同様の構成となっており、磁界発生装置とケースの底面及び天面との関係もケースＡ〜Ｃともに同様であるので、これらについては、図６に示すケースＢの磁界発生装置等と同じ図面番号を用い、ケースＢ及びＣの磁界発生装置等とともに後述する。
【００２１】
ケースＢは、図２及び図４に示すように、平面視が略長方形であり、その中央部に磁界発生装置がセットされる。
ケースＢの磁界発生装置は、ケースＢ及び磁界発生装置の分解図である図６に示すように、コの字型のケイ素鋼板を複数枚重ねたコア（以下、単に「コア」という。）２２、筒状の巻き付け部と上下フランジ等よりなるボビン２３、筒状の巻き付け部の外側に巻き付けられた電磁コイル２４、上フランジの上面の一部に固着されている緩衝材２５、及びボビン２３の端子２６に挿入実装され他のケースのコネクタ基板等と電気的に接続されるコネクタ基板２７を備えている。
そして、コア２２は中間部と中間部の両端から上方に延びる突出部を有し、筒状の巻き付け部の内側にはコア２２の突出部が挿入できるようになっている。
また、コネクタ基板２７には第１コネクタ２８及び第２コネクタ２９が設置され、これらのコネクタは、ケースＡ又はコントローラ側に配置されるケースＢ内のコネクタ基板２７に設置されている第１コネクタ２８及び第２コネクタ２９、末端側に配置されるケースＢ又はケースＣ内のコネクタ基板２７に設置されている第１コネクタ２８及び第２コネクタ２９、並びにサーモスタット３０と各々接続線により電気的に接続されている。
【００２２】
接続線の先端部にはプラグ（図示せず）が装着されており、第１コネクタ２８又は第２コネクタ２９への接続は、それぞれのプラグ挿入部にプラグを差し込むことにより行えるようになっている。
そして、プラグを第１コネクタ２８又は第２コネクタ２９に挿入した後は接続線が容易には抜けないようにするため、プラグ及びプラグ挿入部にはロック機構（図示せず）が設けてある。
また、ケースＢの底部中央には底面２０から延びる２つのコの字状突起よりなるコア固定部３１が設置されるとともに、１つのＬ字状突起及び柱状突起よりなるサーモスタット固定部３２が設置されている。
なお、図７及び図８に示すように、上下フランジは互いに平行であり、磁界発生装置がセットされケースＢが固定された状態においては、底部の底面２０、蓋部の天面２１、上フランジの上面及び下フランジの下面が互いに平行となる。
【００２３】
ケースＣは、図５に示すように、平面視が略長方形であり、その中央部に磁界発生装置がセットされる。
ケースＣの磁界発生装置は、ケースＢと同様、コの字型のコア２２、ボビン２３、電磁コイル２４、緩衝材２５及びコネクタ基板２７を備えており、上記のとおり、コネクタ基板２７に設置されている第１コネクタ２８及び第２コネクタ２９は、ケースＢ内のコネクタ基板２７に設置されている第１コネクタ２８及び第２コネクタ２９並びにケースＣ内のサーモスタット３０と各々接続線により電気的に接続されている。
なお、ケースＡ内のコネクタ基板２７に設置されている第１コネクタ２８及び第２コネクタ２９は、ケースＢ内のコネクタ基板２７に設置されている第１コネクタ２８及び第２コネクタ２９並びにケースＡ内のサーモスタット３０と各々接続線により電気的に接続されているだけでなく、本体接続プラグ７とも接続線により電気的に接続されている。
【００２４】
図７はコア２２の一方の突出部の中心を通りケースＢの短辺に平行な断面の形状を示す図、図８はコア２２の突出部の中心を通りケースＢの長辺に平行な断面の形状を示す図である。
ケースＢの底部中央に設置されているコア固定部３１にコア２２の中間部を嵌合させると、コア２２の突出部がケースＢの底面２０に対して垂直に固定され、サーモスタット固定部３２にサーモスタット３０を嵌合させた後に、コア２２の２つの突出部に各々ボビン２３を挿入すると、下フランジがコア固定部３１及びサーモスタット固定部３２の上面に載置され、その後蓋部を被せビスをねじ込んで固定すればケースＢに磁界発生装置がセットされる。
【００２５】
図７及び図８から分かるように、ケースＢの底部に磁界発生装置を載置し蓋部を被せて固定した状態において、天面２１とコア固定部３１及びサーモスタット固定部３２の上面との距離は、上フランジの上面と下フランジの下面との距離より大きくなるように設定されており、上フランジに固着してある緩衝材２５の厚さは、両者の距離の差とほぼ同じに設定されている。
コア２２及びボビン２３の構造並びにコア２２、ボビン２３及び緩衝材２５の配置やケースＢとの関係は上記のとおりとなっているので、電磁コイル２４に交流電流を印加するとボビン２３及び電磁コイル２４等は上下方向に振動する。
しかし、緩衝材２５があることによってケースＢに適度な振動が伝わり、不快な音をたてることがない。
そして、この関係はケースＡ及びＣでも同様となっているので、全てのケースにおいて、適度な振動が伝わり、不快な音をたてることがない。
【００２６】
図６に示すように、コア２２の突出部の先端付近は厚さが薄くなっているとともに先細りの形状となっている。
また、図７及び図８に示すように、天面２１の２箇所には円形の凹部３３が設けてあり、ケースＢに磁界発生装置をセットし蓋部を被せて固定した状態においては、コア２２の突出部の先端がその凹部３３に嵌入するようになっている。
加えて、電磁コイル２４の巻数と線径を最適化し、電磁コイル２４全体の電気抵抗を抑えることにより、各ケース上面のコア２２の突出部の先端近傍において、従来の磁気治療装置では安定的に発生させることのできなかった１５０ミリテスラ（以下「ｍＴ」と記載、１５００ガウスに相当）以上の磁束密度が得られ、強力な交番磁界を治療対象に作用させることができるようになった。
なお、電磁コイル２４に印加する交流電流はデューティー比を最適化してあるので、通常の利用継続時間であれば本体部８の温度が許容範囲を超えることはない。
【００２７】
磁界発生装置をセットしケースＡ〜Ｃを組み立てる際の手順について説明する。
なお、ボビン２３には電磁コイル２４が巻き付けられ、コネクタ基板２７が取り付けられているとともに、組み立て前に本体接続プラグ７と５つのコネクタ基板２７は接続線によって電気的に接続されているものとする。
（手順１）コア２２の中間部をケースＣのコア固定部３１に嵌合し、サーモスタット３０をサーモスタット固定部３２に嵌合する。
（手順２）コア２２の２つの突出部に、それぞれ筒状の巻き付け部を挿入し、ボビン２３をコア固定部３１及びサーモスタット固定部３２の上面に届くまで押し下げる。
（手順３）ケースＣの底部の結合凸部１７をコントローラ側に位置するケースＢの底部の結合凹部１６に嵌入させ、ゴム板（図示せず）を結合凸部１７と結合凹部１６との隙間に挿入する。
（手順４）ケースＣの蓋部を被せ３本のビスを締め付ける。
（手順５）上記（手順１）〜（手順４）の「ケースＣ」を「ケースＢ」に、「結合凸部１７」を「結合凸部１５」に置き換えて、上記（手順１）〜（手順４）を３回繰り返す。
ただし、３回目の（手順３）では「ケースＢの底部の結合凹部１６」を「ケースＡの底部の結合凹部１４」に、「結合凹部１６」を「結合凹部１４」に置き換える。
（手順６）コア２２の中間部をケースＡのコア固定部３１に嵌合し、サーモスタット３０をサーモスタット固定部３２に嵌合する。
（手順７）コア２２の２つの突出部に、それぞれ筒状の巻き付け部を挿入し、ボビン２３をコア固定部３１及びサーモスタット固定部３２の上面に届くまで押し下げる。
（手順８）本体接続プラグ７をケースＡの所定位置に嵌め込む。
（手順９）ケースＡの蓋部を被せ４本のビスを締め付ける。
以上の作業によりケースＡ〜Ｃの組み立てが完了し、磁気治療装置が完成する。
【００２８】
本発明の磁気治療装置は、上記のとおりコア２２の突出部の先端近傍における磁束密度が非常に高くなるので、皮膚交感神経活動を低下させるとともに、皮膚血流量や頸部における血流量を増加させる効果が大きくなる。
そのため、末梢血液循環改善や脳のリラックスにも効果的である。
【００２９】
また、交流磁気を仙骨又は膀胱付近に約２週間照射することにより、腹圧性尿失禁症（女性１２名）に対する治験及び前立腺摘除後尿失禁症（男性１３名）に対する治験において、排尿回数、１日パット交換枚数、ＱＯＬスコア（使用感、不快感など生活の質に関する治療の印象を数値化したもの）等の全項目で有意な改善効果が認められたとの報告（高橋悟著、NIKKENファミリーマガジン「絆」、2003年7月5日No.274春号）からみて、本発明の磁気治療装置によって生体に磁気刺激を与えれば、尿失禁や頻尿の改善に従来以上の効果が上がることが期待される。
【００３０】
次に、免疫生理学的実験により得られた結果として、以下のような報告がある。
（１）全身性交流磁気治療装置にて１日３０分間１ヶ月間磁気治療を行い、その前後のヒト抹消血液中のＮＫ細胞活性の変化を測定した結果、磁気治療開始後約２週間でＮＫ細胞活性が上昇傾向を示した。
（２）帯状疱疹後神経痛（ＰＨＮ）１５例に対して全身性交流磁気治療装置を用いた治験を行い、患者の自覚症状や患部の血行動態を測定した結果、１１例（７３％）で著効又は有効で、特別な副作用は全く認められなかった。
（３）磁気治療用メガネを用い、花粉症患者３０例に対して磁気治療を行った結果、自覚症状に対する治療効果は有効以上が８０％であり、従来のレーザ療法及び電気鍼の治療成績と比較しても統計的に遜色のない治療成績が得られ、増悪例、その他特記すべき副作用は何も認められなかった。
（４）交流磁気を発生する装置４台を用いて磁気刺激を行い、１日４時間５日間曝射し、血中の総コルステロール、ＨＤＬコルステロール、ＬＤＬコルステロール及び中性脂肪の変化を測定した結果、ＬＤＬコルステロールは有意に低下し、ＨＤＬ／ＬＤＬコルステロール比は有意に上昇した。
（５）全身性交流磁気治療装置を用い、健康な男女１２名に対し１日３０分３日間連続で磁気刺激を行って血中のセロトニンを測定した結果、磁気刺激前のセロトニンは１４６．８±８．６ｍｇ／ｄｌであったのに対し、３日間の磁気刺激後のセロトニンは１２３．７±７．７ｍｇ／ｄｌに低下した。
（久光正、他６名著、「磁気の健康増進効果を免疫・筋循環生理および量子生理の立場から解明する研究」、財団法人磁気健康科学研究振興財団、平成６・７年度助成研究成果報告書、p.23〜29、平成９年１０月１６日発行）。
これらの報告からみて、本発明の磁気治療装置によって生体に磁気刺激を与えれば、（１）免疫力の向上、（２）帯状疱疹後神経痛の鎮静化、（３）ヒト花粉症アレルギーの軽減、（４）ＬＤＬコルステロールの低下及びＨＤＬ／ＬＤＬコルステロール比の向上、（５）血中セロトニンの低下に従来以上の効果が上がることが期待される。
【００３１】
さらに、専門医による証言として、以下のような報告もなされている。
（６）人間の代表的な白血病細胞であるＨＬ−６０に交流磁気をかける実験を行った結果、かなりの高率でＨＬ−６０がアポトーシスを起こした（自滅した）。その原因としては磁気の通過に伴う誘導電流の作用によるものと考えられるが、いずれにしても、交流磁気をかけることによって白血病の細胞が自滅することが明らかになった。
（７）通常のマウスと交流磁気をかけたマウスにストレスを与え、マウスの肝臓内のビタミンＣ量を比較する実験において、通常のマウスでは１．４分程度でビタミンＣがなくなってしまったのに対し、交流磁気をかけたマウスではビタミンＣがなくなるまでに６５分かかった。ストレスとビタミンＣの減少には相関性のあることが分かっているので、交流磁気には抗ストレス作用があるのではないかと推測される。
（「専門医１０人の証言、代替医療の最先端をいく交流磁気治療」、現代書林、p.178〜181及びp.188〜190、２０００年８月２８日発行）。
これらの報告からみて、本発明の磁気治療装置によって生体に磁気刺激を与えれば、（６）白血病の治癒、（７）ストレス解消に従来以上の効果が上がることが期待される。
【００３２】
実施例の磁気治療装置に関する変形例を列記する。
（１）実施例においては、ケースＡ〜Ｃの固定状態においては、底面２０と天面２１が互いに平行となるようになっていたが、必ずしも平行でなくても良い。
（２）実施例においては、コの字型のケイ素鋼板を複数枚重ねたコア２２を用いたが、ケイ素鋼板を複数枚重ねたものに限らず、磁気抵抗の低い磁性材料よりなるものであれば、どのようなものであっても良い。
また、コア２２はコの字状としたが、ボビン２３の筒状の巻き付け部に挿入可能な棒状の突出部を有するものであれば、どのような形状でも良い。
【００３３】
（３）実施例においては、ケースＡ〜Ｃの底部の略中央に２つのコの字状突起よりなるコア固定部３１と１つのＬ字状突起及び柱状突起よりなるサーモスタット固定部３２を設けたが、コア２２及びサーモスタット３０を固定できるものであれば、どのような形状のものであっても良く、底面２０の一部をコア固定部３１やサーモスタット固定部３２として、そこに接着やネジ止め等で固定するようにしても良い。
また、これらの突起や固定部を設ける位置は底部の略中央でなくても良く、コア固定部３１とサーモスタット固定部３２を離れた箇所に設けても良い。
（４）実施例においては、ボビン２３をコア固定部３１及びサーモスタット固定部３２の上面に届くまで押し下げ、コア固定部３１及びサーモスタット固定部３２の上面をボビン載置部としていたが、ボビン載置部は別途設けても良く、コア固定部３１の上面のみをボビン載置部としても良い。
また、底面２０にコア２２の中間部を嵌合可能な溝を形成してコア固定部とした場合、底面２０自体をボビン載置部とすることも可能である。
【００３４】
（５）実施例においては、上フランジの上面の一部に緩衝材２５を固着したが、下フランジの下面の一部に緩衝材２５を固着しても良く、上フランジの上面又は下フランジの下面全面に緩衝材２５を固着しても良い。
また、上下フランジに固着してある緩衝材２５に代えて又は加えて、天面２１の上フランジに対応する位置とコア固定部３１及びサーモスタット固定部３２の上面の一部又は全部に緩衝材２５を固着しても良く、上フランジ、下フランジ、コア固定部３１及びサーモスタット固定部３２がある程度の柔軟性を持っている場合には、緩衝材２５を設けなくても良い。
（６）実施例においては、上下フランジに固着してある緩衝材２５を合わせた厚さは、天面２１とコア固定部３１及びサーモスタット固定部３２の上面との距離から上フランジの上面と下フランジの下面との距離を差し引いた長さとほぼ同じに設定されていたが、その長さより小さくても良い。
【符号の説明】
【００３５】
１  電源接続コード      ２、３  接続プラグ      ４  コントローラ
５、６  ベルト通し部      ７  本体接続プラグ      ８  本体部
９  本体接続コード      １０  電源接続用コンセント      １１  電源スイッチ
１２  モード選択スイッチ      １３  タイマー表示部      １４、１６  結合凹部
１５、１７  結合凸部      １８  コントローラ接続端子      １９  本体接続端子
２０  底面      ２１  天面      ２２  ケイ素鋼板を複数枚重ねたコア（コア）
２３  ボビン      ２４  電磁コイル      ２５  緩衝材      ２６  端子
２７  コネクタ基板      ２８  第１コネクタ      ２９  第２コネクタ
３０  サーモスタット      ３１  コア固定部      ３２  サーモスタット固定部
３３  凹部
【図１】
2018099284.tif 000003
【図２】
2018099284.tif 000004
【図３】
2018099284.tif 000005
【図４】
2018099284.tif 000006
【図５】
2018099284.tif 000007
【図６】
2018099284.tif 000008
【図７】
2018099284.tif 000009
【図８】
2018099284.tif 000010